(57)【要約】【課題】洗面所の換気を行えるようにした空調システムを提供する。【解決手段】空調システム１Ａは、洗面所１０１に設置される洗面所空調機２と、浴室１０２に設置される浴室換気空調機３Ａを備える。洗面所空調機２は、洗面所１０１内の空気を循環させ、送風を吹き出す涼風機能及び温風を吹き出す暖房機能を有する。浴室換気空調機３Ａは、浴室１０２内の空気を循環させ、送風を吹き出す涼風機能及び温風を吹き出す暖房機能を有する。更に、浴室１０２内の空気及び洗面所１０１内の空気を吸い込み、屋外へ排出する換気機能を有する。洗面所空調機操作部１０で所定の運転モードを選択すると、洗面所空調機２の運転に連動して、浴室換気空調機３Ａが換気運転を行い、洗面所１０１の換気を行う。【選択図】        図１
2006226637.tif 000002
【特許請求の範囲】
【請求項１】
洗面所内の空気を吸い込み、運転モードに応じて送風または温風を吹き出す洗面所空調機と、
前記洗面所と隣接した浴室内の空気を吸い込み、運転モードに応じて送風または温風を吹き出すと共に、前記浴室と少なくとも前記洗面所の空気を吸い込み、屋外へ排出する浴室換気空調機とを備えた空調システムにおいて、
前記洗面所空調機の運転と連動して前記浴室換気空調機を換気運転する制御手段を備えた
ことを特徴とする空調システム。
【請求項２】
前記制御手段は、前記洗面所空調機の運転モードとして、前記洗面所空調機の送風運転と前記浴室換気空調機の換気運転を連動させた除湿モードと、前記洗面所空調機の暖房運転と前記浴室換気空調機の換気運転を連動させた乾燥モードとを備えた
ことを特徴とする請求項１記載の空調システム。
【請求項３】
前記洗面所空調機は、正イオン及び負イオンを発生させ、吹き出す空気にイオンを供給するイオン発生手段を備え、
前記制御手段は、前記洗面所空調機と前記浴室換気空調機との連動運転に応じて前記イオン発生手段を制御して、正イオン及び負イオンを発生させる正負イオン発生モードと、負イオンを発生させる負イオン発生モードを選択的に切り換える
ことを特徴とする請求項１または２記載の空調システム。
【請求項４】
前記洗面所空調機は、空気の吹き出し方向を可変にする風向可変手段を備え、
前記制御手段は、前記洗面所空調機と前記浴室換気空調機との連動運転に応じて前記風向可変手段を制御する
ことを特徴とする請求項１，２または３記載の空調システム。
【請求項５】
前記浴室換気空調機は、所定換気回数を満たす換気風量で常時換気運転を行うと共に、前記洗面所空調機との連動運転時は、換気風量を増加させる
ことを特徴とする請求項１，２，３または４記載の空調システム。
【請求項６】
前記浴室換気空調機は、前記洗面所に設置された換気吸込口を介して前記洗面所の空気を吸い込む
ことを特徴とする請求項１，２，３，４または５記載の空調システム。
【請求項７】
前記浴室換気空調機は、前記洗面所と前記浴室の間のドアに設置された空気取入口を介して前記洗面所の空気を吸い込む
ことを特徴とする請求項１，２，３，４または５記載の空調システム。
【発明の詳細な説明】
【技術分野】
【０００１】
本発明は、洗面所の暖房等を行う洗面所空調機と、浴室の暖房及び換気等を行う浴室換気空調機を備えた空調システムに関する。詳しくは、洗面所空調機と浴室換気空調機を連動させて、洗面所の換気をできるようにしたものである。
【背景技術】
【０００２】
従来より、浴室内の暖房等を行う浴室換気暖房乾燥機が提案されている。一般的に、冬季においては住宅の居室は暖房されており、寒さを感じない温度となっているが、暖房されていない浴室は入浴前の温度が低く、入浴者は浴室への入室直後は寒さを感じる。
【０００３】
そこで、浴室換気暖房乾燥機を使用して浴室内を予め暖房しておき、冬季の入浴時における居室と浴室の温度差を解消することで、浴室への入室直後に寒さを感じないようにして、入浴者の負担の軽減を図っている。
【０００４】
また、浴室換気暖房乾燥機は換気機能を備えており、浴室内の湿気等を排出できるようになっている。
【０００５】
さて、浴室に隣接する洗面所も、従来は暖房機が設置されておらず、冬季は暖房されている居室との温度差があるので、脱衣中等には寒さを感じる。そこで、脱衣所内の暖房等を行う洗面所空調機が提案されている（例えば、特許文献１参照）。
【０００６】
洗面所空調機は、入浴前の洗面所の暖房機能や、入浴後の扇風機としての涼風機能を備え、洗面所環境の快適性の向上を図っている。
【０００７】
【特許文献１】特開２００４−１４４３０６号公報
【発明の開示】
【発明が解決しようとする課題】
【０００８】
洗面所空調機として、洗面所の壁面等に設置するような後付けタイプの洗面所空調機は、洗面所内の空気を循環させて暖房等を行う構成であり、換気機能を備えていないので、洗面所内の湿気等を排出できないという問題があった。
【０００９】
また、換気機能を有する洗面所空調機も提案されているが、換気用のダクト配管の設置が必要で、施工性が悪くなると共に、設置できる建物や、設置場所の制約があり、設置の自由度が低いという問題があった。
【００１０】
本発明は、このような課題を解決するためになされたもので、洗面所の換気を行えるようにした空調システムを提供することを目的とする。
【課題を解決するための手段】
【００１１】
上述した課題を解決するため、請求項１の発明は、洗面所内の空気を吸い込み、運転モードに応じて送風または温風を吹き出す洗面所空調機と、洗面所と隣接した浴室内の空気を吸い込み、運転モードに応じて送風または温風を吹き出すと共に、浴室と少なくとも洗面所の空気を吸い込み、屋外へ排出する浴室換気空調機とを備えた空調システムにおいて、洗面所空調機の運転と連動して浴室換気空調機を換気運転する制御手段を備えたことを特徴とする。
【００１２】
請求項２の発明は、請求項１に記載の発明において、制御手段は、洗面所空調機の運転モードとして、洗面所空調機の送風運転と浴室換気空調機の換気運転を連動させた除湿モードと、洗面所空調機の暖房運転と浴室換気空調機の換気運転を連動させた乾燥モードとを備えたことを特徴とする。
【００１３】
請求項３の発明は、請求項１または２に記載の発明において、洗面所空調機は、正イオン及び負イオンを発生させ、吹き出す空気にイオンを供給するイオン発生手段を備え、制御手段は、洗面所空調機と浴室換気空調機との連動運転に応じてイオン発生手段を制御して、正イオン及び負イオンを発生させる正負イオン発生モードと、負イオンを発生させる負イオン発生モードを選択的に切り換えることを特徴とする。
【００１４】
請求項４の発明は、請求項１，２または３に記載の発明において、洗面所空調機は、空気の吹き出し方向を可変にする風向可変手段を備え、制御手段は、洗面所空調機と浴室換気空調機との連動運転に応じて風向可変手段を制御することを特徴とする。
【００１５】
請求項５の発明は、請求項１，２，３または４に記載の発明において、浴室換気空調機は、所定換気回数を満たす換気風量で常時換気運転を行うと共に、洗面所空調機との連動運転時は、換気風量を増加させることを特徴とする。
【００１６】
請求項６の発明は、請求項１，２，３，４または５に記載の発明において、浴室換気空調機は、洗面所に設置された換気吸込口を介して洗面所の空気を吸い込むことを特徴とする。
【００１７】
請求項７の発明は、請求項１，２，３，４または５に記載の発明において、浴室換気空調機は、洗面所と浴室の間のドアに設置された空気取入口を介して洗面所の空気を吸い込むことを特徴とする。
【発明の効果】
【００１８】
本発明に係る空調システムによれば、洗面所空調機の運転と連動して、浴室換気空調機で換気運転を行うことにより、洗面所の換気を浴室換気空調機で行うことができる。
【００１９】
これにより、洗面所空調機が換気機能を備えていなくても、洗面所内の空気を排出して、除湿や衣類乾燥等を行うことができる。
【００２０】
また、洗面所空調機に換気用のダクト等を接続する必要が無く、施工が容易であると共に、洗面所空調機の設置に関する制約を減らし、設置の自由度を向上させることができる。
【００２１】
更に、洗面所空調機と浴室換気空調機を個別に操作する必要がなく、操作性を向上させることができる。
【発明を実施するための最良の形態】
【００２２】
以下、図面を参照して本発明の空調システムの実施の形態について説明する。
【００２３】
＜第１の実施の形態の空調システムの構成例＞
図１は第１の実施の形態の空調システムの一例を示す構成図である。第１の実施の形態の空調システム１Ａは、洗面脱衣所等と称される洗面所１０１の壁面等に設置される洗面所空調機２と、洗面所１０１に隣接した浴室１０２の天井等に設置される浴室換気空調機３Ａとを備える。
【００２４】
そして、洗面所空調機２の運転に応じて浴室換気空調機３Ａの換気運転を行うことで、洗面所空調機２が換気機能を備えていない場合でも、洗面所空調機２の運転に合わせて洗面所１０１内の湿気を排出できるようにしたものである。
【００２５】
洗面所空調機２及び浴室換気空調機３Ａの構成の詳細は後述するが、洗面所空調機２は、洗面所１０１内の空気を吸込口４から吸い込み、吸い込んだ空気の温度制御等を行って吹出口５から洗面所１０１へ吹き出す構成を備え、吸い込んだ空気を室温に応じた涼風として吹き出す運転モード、及び吸い込んだ空気を加熱して温風として吹き出す運転モード等が実行される。
【００２６】
浴室換気空調機３Ａは、浴室１０２内の空気を吸込口６から吸い込み、吸い込んだ空気の温度制御等を行って吹出口７から浴室１０２へ吹き出す構成を備える。
【００２７】
また、浴室換気空調機３Ａは、吸気ダクト８と排気ダクト９が接続され、吸気ダクト８には、洗面所１０１の天井に設置された吸気グリル８ａが接続され、排気ダクト９には、図示しない建物の外壁１０３に取り付けられた排気グリル９ａが接続される。
【００２８】
そして、浴室換気空調機３Ａは、浴室１０２内の空気を吸込口６から吸い込むと共に、洗面所１０１内の空気を吸気ダクト８を介して吸気グリル８ａから吸い込み、排気ダクト９を介して排気グリル９ａから排出する構成を備える。
【００２９】
これにより、浴室換気空調機３Ａは、吸い込んだ空気を室温に応じた涼風として吹き出しながら換気を行う運転モード、及び吸い込んだ空気を加熱して温風として吹き出す運転モードや温風として吹き出しながら換気を行う運転モード、更には浴室１０２及び洗面所１０１等の換気を行う運転モード等が実行される。
【００３０】
洗面所空調機２は、洗面所１０１に設置された洗面所空調機操作部１０と接続され、洗面所空調機操作部１０での操作に応じた運転モードで運転される。また、浴室換気空調機３Ａは、洗面所１０１に設置された浴室換気空調機操作部１１と接続され、浴室換気空調機操作部１１での操作に応じた運転モードで運転される。
【００３１】
更に、浴室換気空調機操作部１１は洗面所空調機操作部１０に接続され、洗面所空調機２及び浴室換気空調機３Ａは、洗面所空調機操作部１０での操作に応じて連動して運転される。
【００３２】
本例の空調システム１Ａが設置される洗面所１０１及び浴室１０２の一般的な構成について説明すると、洗面所１０１には洗面台１０１ａを備え、浴室１０２には浴槽１０２ａを備える。また、浴室１０２の入口には浴室ドア１０４を備える。浴室ドア１０４は空気取入口（ガラリ）１０４ａを備え、浴室１０２に隣接した洗面所１０１等の空気を浴室１０２内に取り入れられるようになっている。
【００３３】
＜洗面所空調機の構成例＞
図２は本実施の形態の洗面所空調機２の内部構成の一例を示す正面図、図３は本実施の形態の洗面所空調機２の構成の一例を示す分解斜視図、図４は本実施の形態の洗面所空調機２の構成の一例を示す外観斜視図、図５は図２のＡ−Ａ線断面図、図６は図２のＢ−Ｂ線断面図であり、次に、図１に示す空調システム１Ａを構成する洗面所空調機２の構成の詳細を説明する。
【００３４】
洗面所空調機２は洗面所暖房機等と称され、涼風（送風）及び温風を吹き出す空調ユニット１２を備える。空調ユニット１２は、イオン発生器１３とファン部１４とヒータ部１５とルーバー１６を備える。ファン部１４はシロッコファンで送風手段を構成し、ファンモータ１４ａに回転駆動される多翼の羽根車（ファン）１７と、風路を形成するファンケース１８を備える。ファンケース１８は、羽根車１７の軸方向に沿った面を開口して形成される吸込口１８ａと、羽根車１７の接線方向に沿った部位を開口して形成される吹出口１８ｂとを備える。
【００３５】
イオン発生器１３はイオン発生手段を構成し、ファン部１４のファンケース１８に取り付けられる。イオン発生器１３は、イオンを発生する図示しない放電面がファンケース１８の内部に露出するように取り付けられ、ファン部１４によって形成される風路中にイオンが供給される。
【００３６】
イオン発生器１３は、正イオンと負イオンの両方あるいは負イオンを発生する。正イオンと負イオンの発生の原理は、誘電体が介在するように対向させた一対の電極間に家庭用交流電源等から取った交流電圧を昇圧して印加することにより、コロナ放電を起こし、空気中の酸素ないしは水分が電離によりエネルギーを受けてイオン化し、Ｈ+(Ｈ2Ｏ)m（ｍは任意の自然数）と、Ｏ2-(Ｈ2Ｏ)n（ｎは任意の自然数）が主体のイオンを放出するものである。
【００３７】
これらＨ+(Ｈ2Ｏ)m及びＯ2-(Ｈ2Ｏ)nは、浮遊菌の表面に付着し、化学反応して活性種であるＨ2Ｏ2または・ＯＨを生成する。Ｈ2Ｏ2または・ＯＨは、極めて強力な活性を示すため、これらにより、空気中の浮遊細菌を取り囲んで不活化することができる。ここで、・ＯＨは活性種の１種であり、ラジカルのＯＨを示している。
【００３８】
これにより、略同数の正イオンと負イオンを発生させる正負イオン発生モードを備えて、略同数の正イオンと負イオンを含む空気を送風することで、空気中の浮遊細菌を不活化して、カビの発生を抑えることができる。
【００３９】
また、負イオンのみもしくは負イオンを正イオンより多く発生させるような負イオン発生モードを備えて、負イオンを含む空気を送風すると、精神を安定させ、呼吸器の機能を高める等のリラックス効果があると言われている。
【００４０】
ヒータ部１５は加熱手段を構成し、ファンケース１８の吹出口１８ｂに取り付けられ、本例では、図５に示すように、第１のＰＴＣヒータ１５ａと第２のＰＴＣヒータ１５ｂを左右に並べて構成される。
【００４１】
第１のＰＴＣヒータ１５ａは、ファンケース１８の吹出口１８ｂに接続された第１の風路１９ａに備えられ、第２のＰＴＣヒータ１５ｂは、吹出口１８ｂに接続された第２の風路１９ｂに備えられる。
【００４２】
ここで、第１のＰＴＣヒータ１５ａと第２のＰＴＣヒータ１５ｂは、正極性のサーミスター特性を有するヒータで、温度が上昇すると抵抗値が上昇し、これにより消費する電流が制御されると共に温度上昇が緩やかになり、その後、消費電流及び発熱部の温度が、飽和領域に達して安定していくものであり、自己温度制御を行う。
【００４３】
このように、ＰＴＣヒータでは、ヒータの温度が上昇すると消費電流が低くなり、その後一定温度の飽和領域に達すると、消費電流が低い値で安定する特性があるために、これを用いることにより、消費電力の節約ができるとともに、発熱体の温度の異常上昇を防止可能であるという利点がある。
【００４４】
ルーバー１６は風向可変手段を構成し、ヒータ部１５を介してファンケース１８の吹出口１８ｂに取り付けられる。ルーバー１６は、図６に示すように、ヒータ部１５を介してファンケース１８の吹出口１８ｂと接続されるハウジング２０ａと、ハウジング２０ａに軸支され、上下方向に回動して空気の吹き出し方向を切り換える吹出口２０ｂと、吹出口２０ｂの内側に回転可能に取り付けられ、左右方向に空気の吹き出し方向を切り換える複数の風向板２０ｃを備える。
【００４５】
また、ルーバー１６は、図２に示すように、吹出口２０ｂを回転駆動するルーバモータ２０ｄを備える。ルーバモータ２０ｄはステッピングモータで、図示しない軸を支点に、吹出口２０ｂを図６に示す矢印ａ１，ａ２方向に往復動作させる。また、吹出口２０ｂを所定の位置で停止させる。
【００４６】
洗面所空調機２は、図３に示すように本体ケース２１に空調ユニット１２が取り付けられ、本体ケース２１の前面にフロントパネル２２が取り付けられる。そして、本体ケース２１の側面を覆う化粧パネル２３を着脱自在に備えて、化粧パネル２３の装着の有無で、１種類の洗面所空調機１を、図６（ａ）に示すように壁面１０５に掛ける取付形態と、図６（ｂ）に示すように壁面１０５に埋め込む取付形態の双方に使用できるようになっている。
【００４７】
本体ケース２１は、例えば金属板で構成され、背面板２１ａと４枚の側面板２１ｂを備えた箱状で、前面に開口部２４が形成される。また、本体ケース２１は開口部２４の外周に側面板２１ｂから連続してフランジ部２５が形成される。
【００４８】
フランジ部２５は複数の取付穴２５ａを備える。取付穴２５ａは、洗面所空調機２を壁面１０５に埋め込む取付形態では本体取付部として機能し、洗面所空調機２を壁面１０５に掛ける取付形態ではパネル取付部として機能する。
【００４９】
すなわち、図６（ａ）に示すように、洗面所空調機２を壁面１０５に掛ける取付形態では、フランジ部２５の取付穴２５ａを使用して、ネジ２６ａにより化粧パネル２３がフランジ部２５に固定される。また、図６（ｂ）に示すように、洗面所空調機２を壁面１０５に埋め込む取付形態では、化粧パネル２３を非装着とし、フランジ部２５の取付穴２５ａを使用して、ネジ２６ｂにより洗面所空調機２が壁面１０５の開口部に固定される。
【００５０】
本体ケース２１は、背面板２１ａにシャーシ２７が取り付けられる。シャーシ２７は例えばプラスチック材で構成され、図６に示すように、背面板２１ａまで貫通した本体取付穴２７ａを備える。本体取付穴２７ａは本体取付部を構成し、図６（ａ）に示すように、洗面所空調機２を壁面１０５に掛ける取付形態では、本体取付穴２７ａを使用して、ネジ２８により洗面所空調機２が壁面１０５に固定される。
【００５１】
シャーシ２７は、本体ケース２１にフロントパネル２２を固定するフロントパネル取付部２７ｂを備える。また、シャーシ２７は回路基板２９の取付部を備える。更に、シャーシ２７には空調ユニット１２が取り付けられる。
【００５２】
フロントパネル２２は、本体ケース２１の開口部２４に取り付けられる。フロントパネル２２は、空調ユニット１２のルーバー１６が露出する開口部３１ａと、ファン部１４の吸込口１８ａと対向する部位に形成される吸込口３１ｂと、吸込口３１ｂの裏面側にフィルタ２２ａを着脱自在に取り付けるフィルタ取付部３１ｃと、本体ケース２１のフロントパネル取付部２７ｂにフロントパネル２２を取り付けるためのフロントパネル取付穴３１ｄを備える。
【００５３】
化粧パネル２３は、本体ケース２１が嵌る開口部２３ａを有して、本体ケース２１の周囲四側面を覆う枠状で、化粧パネル２３の外形は、フロントパネル２２の外形と略同形に構成される。
【００５４】
また、化粧パネル２３は前面にフランジ受け面３２を備え、フランジ受け面３２にネジ穴３２ａと位置決め突起３２ｂを備える。更に、化粧パネル２３は裏面に補強リブ３３を備える。
【００５５】
ネジ穴３２ａは、本体ケース２１のフランジ部２５の取付穴２５ａに対応した箇所に形成される。位置決め突起３２ｂは、例えばフランジ受け面３２の辺部に沿った直線状のリブが、フランジ受け面３２に突出形成される。
【００５６】
本体ケース２１に化粧パネル２３を取り付けるため、フランジ受け面３２に本体ケース２１のフランジ部２５が載置されると、位置決め突起３２ｂの内周側にフランジ部２５の外周側が当接して、本体ケース２１に対する化粧パネル２３の位置決めが行われる。
【００５７】
また、化粧パネル２３が取り付けられた本体ケース２１にフロントパネル２２を取り付けると、位置決め突起３２ｂの外周側にフロントパネル２２の内周面が当接して、化粧パネル２３に対するフロントパネル２２の位置決めが行われる。
【００５８】
このように、本体ケース２１のフランジ部２５の外形は、フロントパネル２２及び化粧パネル２３の外形より小さく、本体ケース２１にフロントパネル２２を取り付けると、フランジ部２５はフロントパネル２２の内側に入り、フロントパネル２２の側面には露出しない。
【００５９】
なお、フロントパネル２２は、ネジ３４をフロントパネル取付穴３１ｄに通してフロントパネル取付部２７ｂに締結することで、本体ケース２１に固定される。そして、フロントパネル２２が本体ケース２１に固定されると、図４に示すようにルーバー１６がフロントパネル２２の開口部３１ａから露出して吹出口５が形成される。また、図５に示すようにファン部１４の吸込口１８ａとフロントパネル２２の吸込口３１ｂが対向して、吸込口４が形成される。
【００６０】
補強リブ３３は、化粧パネル２３の内面から内向きに突出する板状部材を複数箇所に形成したもので、補強リブ３３が本体ケース２１の側面板２１ｂに当接して、化粧パネル２３の変形を防ぐ。
【００６１】
＜洗面所空調機の制御機能例＞
図７は本実施の形態の洗面所空調機２の制御系の一例を示す機能ブロック図であり、次に、本実施の形態の洗面所空調機１の制御系の構成について説明する。洗面所空調機２は、ＣＰＵ等で構成される制御部３５を図２等に示す回路基板２９に備え、制御部３５に、図１で説明した洗面所空調機操作部１０と、図２等で説明したファンモータ１４ａと、第１のＰＴＣヒータ１５ａ及び第２のＰＴＣヒータ１５ｂと、イオン発生器１３と、ルーバモータ２０ｄ等が接続される。
【００６２】
制御部３５は制御手段を構成し、洗面所空調機２の運転モードとして、涼風（送風）を吹き出す涼風モードと、温風を吹き出す暖房モードを備える。また、イオンを発生するイオン発生モードを備え、イオン発生モードとして、正イオンと負イオンの双方を発生する正負イオン発生モードと、負イオンを発生する負イオン発生モードを備える。なお、正負イオン発生モードは除菌イオンモードとも称され、負イオン発生モードはマイナスイオンモードとも称される。
【００６３】
更に、制御部３５は、洗面所空調機２の運転モードとして、図１に示す浴室換気空調機３Ａとの連動で換気を行いながら涼風を吹き出す除湿モードと、浴室換気空調機３Ａとの連動で換気を行いながら温風を吹き出す乾燥モードを備える。
【００６４】
洗面所空調機操作部１０は操作手段を構成し、例えば洗面所空調機２本体と独立したリモートコントロール装置で、図１に示すように、洗面所空調機２が設置される洗面所１０１の壁面１０５に取り付けられる。
【００６５】
洗面所空調機２で実行される運転モードは、利用者が洗面所空調機操作部１０を操作することで選択され、制御部３５は、洗面所空調機操作部１０での操作に応じてファンモータ１４ａ、第１のＰＴＣヒータ１５ａ、第２のＰＴＣヒータ１５ｂ、イオン発生器１３及びルーバモータ２０ｄ等を制御する。
【００６６】
また、洗面所空調機操作部１０は、図１に示す浴室換気空調機３Ａの浴室換気空調機操作部１１と接続され、洗面所空調機操作部１０での操作に応じた制御信号が浴室換気空調機１１に送出される。
【００６７】
図８は洗面所空調機操作部１０の一例を示す構成図である。洗面所空調機操作部１０は表示部３６と、各種操作ボタン等を備える。洗面所空調機操作部１０は、操作ボタンとして、涼風モードを選択する涼風モードボタン３７と、暖房モードを選択する暖房モードボタン３８を備える。
【００６８】
また、イオン発生モードとして、正負イオン発生モードと負イオン発生モードを選択するイオンモード選択ボタン３９を備える。更に、正負イオン発生モードと負イオン発生モードの何れが選択されているか示すランプ３９ａを備える。
【００６９】
また、除湿モードを選択する除湿モードボタン４０と、乾燥モードを選択する乾燥モードボタン４１を備える。
【００７０】
更に、洗面所空調機操作部１０は、涼風モード、暖房モード、除湿モード及び乾燥モードと、イオン発生モードを連動させるイオンモード連動ボタン４２を備える。
【００７１】
イオンモード連動ボタン４２を選択せずに、暖房モードボタン３８、涼風モードボタン３７、除湿モードボタン４０あるいは乾燥モードボタン４１を押した場合においては、イオンを発生させずに、各運転モードで運転を行うようになっており、イオンモード連動ボタン４２が各運転モードでイオンを発生するか否かの選択ボタンとなっている。
【００７２】
また、運転モードがイオン連動かどうかを表示するランプ（表示灯）４２ａが設けられている。ランプ４２ａは例えばＬＥＤ（発光ダイオード）であり、連動させるイオン発生モードが正負イオンを発生する除菌モードでは例えば赤色に点灯し、負イオンを発生するマイナスイオンモードでは青色に点灯するようになっており、発生しているイオンの種類が判るようになっている。
【００７３】
更に、イオン連動運転モード中にイオンの発生を停止したい場合においては、再度イオンモード連動ボタン４２を選択し、イオン発生を解除できるようになっている。
【００７４】
なお、洗面所空調機操作部１０には、更に、所定の時間に運転を開始する等の設定を行うタイマボタン４３等を備える。
【００７５】
＜第１の実施の形態の浴室換気空調機の構成例＞
図９は第１の実施の形態の浴室換気空調機３Ａの一例を示す分解斜視図、図１０は第１の実施の形態の浴室換気空調機３Ａの一例を示す平面図、図１１は第１の実施の形態の浴室換気空調機３Ａの一例を示す内部構成図であり、次に、図１に示す空調システム１Ａを構成する浴室換気空調機３Ａの構成の詳細を説明する。
【００７６】
ここで、図１１（ａ）は図１０のＡ−Ａ断面図、図１１（ｂ）は図１０のＢ−Ｂ断面図である。なお、各断面図では浴室換気空調機３Ａの構成を概略的に示している。
【００７７】
第１の実施の形態の浴室換気空調機３Ａは浴室換気暖房乾燥機等と称され、涼風（送風）及び温風を吹き出す循環空調ユニット５１と、換気ユニット５２を備える。循環空調ユニット５１は、循環ファン部５３とヒータ部５４を備える。循環ファン部５３はシロッコファンで循環手段を構成し、循環ファンモータ５３ａに回転駆動される多翼の羽根車（ファン）５５と、風路を形成する循環ファンケース５６を備える。
【００７８】
循環ファンケース５６は、羽根車５５の軸方向に沿った面を開口して形成される吸込口５７ａと、羽根車５５の接線方向に沿って形成される風路５６ａと連通した吹出口５７ｂとを備える。
【００７９】
ヒータ部５４は加熱手段を構成し、循環ファンケース５６の吹出口５７ｂ近傍の風路５６ａにＰＴＣヒータ５８を備える。
【００８０】
換気ユニット５２は、換気ファン部５９を備える。換気ファン部５９はシロッコファンで換気手段を構成し、換気ファンモータ５９ａに回転駆動される多翼の羽根車（ファン）６０と、風路を形成する換気ファンケース６１を備える。
【００８１】
換気ファンケース６１は、羽根車６０の軸方向に沿った面を開口して形成される吸込口６２ａと、羽根車６０の接線方向に沿って形成される風路６１ａと連通した吹出口６２ｂとを備える。
【００８２】
循環空調ユニット５１と換気ユニット５２は本体ケース６３に取り付けられる。本体ケース６３は、換気ユニット５２の吹出口６２ｂと連通する排気ダクト接続部６４を一の側面に備える。また、本体ケース６３は、排気ダクト接続部６４を備えた側面と異なる側面に吸気ダクト接続部６５を備える。
【００８３】
浴室換気空調機３Ａは、排気ダクト接続部６４に図１に示す排気ダクト９が接続され、吸気ダクト接続部６５に吸気ダクト８が接続される。
【００８４】
換気ユニット５２は、本体ケース６３の吸気ダクト接続部６５と換気ファン部５９の吸込口６２ａが連通して第１の換気風路６６ａが形成される。
【００８５】
また、本体ケース６３は換気ファン部５９の吸込口６２ａの下側に換気風路形成部６７が取り付けられ、第２の吸気風路６６ｂを介して吸込口６２ａと連通する吸気口６８が形成される。
【００８６】
浴室換気空調機３Ａは、本体ケース６３の下面にフロントパネル６９が着脱できるように取り付けられる。フロントパネル６９は、循環空調ユニット５１の吹出口５７ｂと対向して吹出口７を備える。また、フロントパネル６９は、循環空調ユニット５１の吸込口５７ａ及び換気ユニット５２の吸気口６８と対向して吸込口６を備える。更に、フロントパネル６９は、吸込口６の裏側に図示しないフィルタが交換可能に取り付けられる。
【００８７】
＜第１の実施の形態の浴室換気空調機の制御機能例＞
図１２は第１の実施の形態の浴室換気空調機３Ａの制御系の一例を示す機能ブロック図であり、次に、第１の実施の形態の浴室換気空調機３Ａの制御系の構成について説明する。
【００８８】
浴室換気空調機３Ａは、ＣＰＵ等で構成される制御部７０を備え、制御部７０に、図１で説明した浴室換気空調機操作部１１と、図１１等で説明した循環ファンモータ５３ａと、換気ファンモータ５９ａとＰＴＣヒータ５８等が接続される。
【００８９】
制御部７０は制御手段を構成し、浴室換気空調機３Ａの運転モードとして、涼風（送風）を吹き出しながら換気を行う涼風モードと、温風を吹き出す暖房モードと、換気モードと、温風を吹き出しながら換気を行う乾燥モードを備える。
【００９０】
浴室換気空調機操作部１１は操作手段を構成し、浴室換気空調機３Ａ本体と独立したリモートコントロール装置で、図１に示すように、浴室１０２に隣接した洗面所１０１の壁面１０５に取り付けられる。
【００９１】
浴室換気空調機３Ａで実行される運転モードは、利用者が浴室換気空調機操作部１１を操作することで選択され、制御部７０は、浴室換気空調機操作部１１での操作に応じて循環ファンモータ５３ａ、換気ファンモータ５９ａ及びＰＴＣヒータ５８等を制御する。
【００９２】
また、浴室換気空調機操作部１１は、図１に示す洗面所空調機２の洗面所空調機操作部１０と接続され、洗面所空調機操作部１０での操作に応じた制御信号を受信する。
【００９３】
図１３は浴室換気空調機操作部１１の一例を示す構成図である。浴室換気空調機操作部１１は表示部７１と、各種操作ボタン等を備える。浴室換気空調機操作部１１は、操作ボタンとして、暖房モードを選択する暖房モードボタン７２と、涼風モードを選択する涼風モードボタン７３と、換気モードを選択する換気モードボタン７４と、乾燥モードを選択する乾燥モードボタン７５を備える。
【００９４】
また、浴室換気空調機操作部１１には、所定の時間に運転を開始する等の設定を行うタイマボタン７６等を備える。
【００９５】
＜洗面所空調機の動作例＞
次に、洗面所空調機２の動作について説明する。図１４は洗面所空調機２の運転モードと各部の動作の組み合わせのパターンを示す。なお、洗面所空調機２の運転モードとして図１４に記載のものは一例である。
【００９６】
この表に記載のファン風量については、各運転モード毎にファンモータ１４ａの回転数が、強、標準等から選択可能に設定されており、選択された運転モードに応じた風量になるようになっている。
【００９７】
イオン発生については、各運転モード毎にマイナスイオン（負）、除菌イオン（正負）、イオン発生無（無）から選択可能に設定されている。なお、運転モードによって、選択できるイオンの種類（正負、負、無）は異なって設定されている。
【００９８】
また、第１のＰＴＣヒータ１５ａ及び第２のＰＴＣヒータ１５ｂについても、各運転モード毎に作動と非作動の選択及び温度選択が可能に設定され、ルーバー１６についても、運転モードに応じて、固定する場合と上下に往復作動（スイング）する場合とに設定されている。
【００９９】
図８に示す洗面所空調機操作部１０で暖房モードボタン３８が押されると、制御部３５は暖房モードが選択されたと判断して、ファンモータ１４ａと第１のＰＴＣヒータ１５ａ及び第２のＰＴＣヒータ１５ｂを駆動する。
【０１００】
ファンモータ１４ａが駆動されると、図５に示す羽根車１７が回転することで、図４等に示すフロントパネル２２の吸込口４を通して、ファン部１４の吸込口１８ａから室内の空気が吸い込まれ、ファンケース１８によってルーバー１６へと空気が流れる。
【０１０１】
第１のＰＴＣヒータ１５ａ及び第２のＰＴＣヒータ１５ｂが駆動され通電されると、ファン部１４から吹き出した空気が加温され、ルーバー１６から温風が吹き出される。これにより、暖房モードでは冬場等に洗面所１０１を暖めることができる。
【０１０２】
図８に示す洗面所空調機操作部１０で暖房モードボタン３８とイオンモード連動ボタン４２が押されると、制御部３５は、上述した暖房モードの制御に加えて、イオン発生器１３を駆動して、例えば負イオンを発生させる。これにより、負イオンがファンケース１８内に放出され、ファン部１４による空気の流れによって、ルーバー１６から負イオンを含む温風が吹き出される。
【０１０３】
従って、暖房モードと負イオン発生モードを連動させることで、洗面所１０１内の温度が快適な温度に上がり、リラックス効果が得られる。なお、負イオン発生モードでは、負イオンのみを発生させても良いし、正イオンに対して負イオンを多く発生させても良い。
【０１０４】
図８に示す洗面所空調機操作部１０で涼風モードボタン３７が押されると、制御部３５は涼風モードが選択されたと判断して、ファンモータ１４ａとルーバモータ２０ｄを駆動する。ファンモータ１４ａが駆動されると、羽根車１７が回転することで、フロントパネル２２の吸込口４を通して、ファン部１４の吸込口１８ａから室内の空気が吸い込まれ、ファンケース１８によってルーバー１６へと空気が流れる。
【０１０５】
ルーバモータ２０ｄが駆動されると、図６に示す吹出口２０ｂが上下方向に往復回転動作する。これにより、ルーバー１６から洗面所１０１全体に送風が吹き出される。
【０１０６】
涼風モードでは、第１のＰＴＣヒータ１５ａ及び第２のＰＴＣヒータ１５ｂに通電を行わないことで、ファン部１４から吹き出した空気は加温されず、室内の温度に応じた送風がルーバー１６から吹き出される。従って、涼風モードでは夏場等に洗面所空調機２を扇風機として使用できる。
【０１０７】
図８に示す洗面所空調機操作部１０で涼風モードボタン３７とイオンモード連動ボタン４２が押されると、制御部３５は、上述した涼風モードの制御に加えて、イオン発生器１３を駆動して、例えば負イオンを発生させる。これにより、負イオンがファンケース１８内に放出され、ファン部１４による空気の流れによって、ルーバー１６から負イオンを含む送風が吹き出される。
【０１０８】
従って、涼風モードと負イオン発生モードを連動させることで、負イオンによるリラックス効果が得られる。なお、涼風モードと正負イオン発生モードを連動させても良い。
【０１０９】
図８に示す洗面所空調機操作部１０でイオンモード選択ボタン３９が押され、除菌イオンモードが選択されると、制御部３５はファンモータ１４ａとルーバモータ２０ｄとイオン発生器１３を駆動する。ファンモータ１４ａが駆動されると、羽根車１７が回転することで、フロントパネル２２の吸込口４を通して、ファン部１４の吸込口１８ａから室内の空気が吸い込まれ、ファンケース１８によってルーバー１６へと空気が流れる。なお、除菌イオンモードでは、第１のＰＴＣヒータ１５ａ及び第２のＰＴＣヒータ１５ｂに通電を行わない。
【０１１０】
ルーバモータ２０ｄが駆動されると、図６に示す吹出口２０ｂが上下方向に往復回転動作する。また、イオン発生器１３が駆動されると、ここでは略同数の正イオンと負イオンの双方がファンケース８内に放出される。図１５はイオン発生モード時の空気の流れを示す説明図で、除菌イオンモードでは、ファン部１４による空気の流れによって、図１５（ａ）に示すように、ルーバー１６から正イオンと負イオンの双方を含む送風が洗面所１０１全体に吹き出される。
【０１１１】
従って、除菌イオンモードでは、部屋全体に正イオン及び負イオンの双方を含む空気が送風されるので、空気中の浮遊細菌を不活化して、カビの発生を抑えることができる。また、除菌イオンモードでは送風を吹き出すことで、室内の湿度が下がり、カビの防止により効果的である。
【０１１２】
なお、本例のルーバー１６は左右の空気の吹き出し方向は手動で変更する構成であるが、左右方向の風向も電動で変更できる構成としても良い。そして、除菌イオンモードで上下左右に送風を行うことで、より広範囲に正イオン及び負イオンの双方を含む送風を行うことができる。
【０１１３】
図８に示す洗面所空調機操作部１０でイオンモード選択ボタン３９が押され、マイナスイオンモードが選択されると、制御部３５はファンモータ１４ａとイオン発生器１３を駆動する。ファンモータ１４ａが駆動されると、羽根車１７が回転することで、フロントパネル２２の吸込口４を通して、ファン部１４の吸込口１８ａから室内の空気が吸い込まれ、ファンケース１８によってルーバー１６へと空気が流れる。
【０１１４】
なお、マイナスイオンモードでは、第１のＰＴＣヒータ１５ａ及び第２のＰＴＣヒータ１５ｂに通電を行わない。また、マイナスイオンモードでは、ルーバモータ２０ｄの駆動は行わず、風向を一定に保持する。
【０１１５】
イオン発生器１３が駆動されると、ここでは負イオンがファンケース１８内に放出される。これにより、マイナスイオン発生モードでは、ファン部１４による空気の流れによって、図１５（ｂ）に示すように、ルーバー１６から負イオンを含む送風が一定の向きで吹き出される。従って、マイナスイオンモードでは、夏場等は送風により体を冷やすと共に、負イオンによるリラックス効果が得られる。
【０１１６】
また、洗面所空調機単体での運転モードとしては、例えばドライヤモードを備えても良い。ドライヤモードでは、制御部３５は、例えばマイナスイオンモードでファンモータ１４ａの回転数を上げ、マイナスイオンモード時より風量を多くする。また、ルーバー１６は、送風が人の頭に当たるような一定の向きで固定される。更に、送風か温風かを選択できるようにしても良い。これにより、負イオンを含む送風あるいは温風で、短時間で髪を乾かすことができる。
【０１１７】
さて、図８に示す洗面所空調機操作部１０で除湿モードボタン４０が押されると、制御部３５は除湿モードが選択されたと判断して、上述した涼風モードの制御を行うと共に、洗面所空調機操作部１０から浴室換気空調機操作部１１に、所定の換気モードを実行させる制御信号を送信する。
【０１１８】
また、図８に示す洗面所空調機操作部１０で乾燥モードボタン４１が押されると、制御部３５は乾燥モードが選択されたと判断して、上述した暖房モードの制御を行うと共に、洗面所空調機操作部１０から浴室換気空調機操作部１１に、所定の換気モードを実行させる制御信号を送信する。
【０１１９】
なお、洗面所空調機２と浴室換気空調機３Ａの連動した動作については後述する。
【０１２０】
＜第１の実施の形態の浴室換気空調機の動作例＞
次に、浴室換気空調機３Ａの動作について説明する。図１６は浴室換気空調機３Ａの運転モードと各部の動作の組み合わせのパターンを示す。なお、浴室換気空調機３Ａの運転モードとして図１６に記載のものは一例である。
【０１２１】
この表に記載のファン風量については、各運転モード毎に循環ファンモータ５３ａ及び換気ファンモータ５９ａの回転数が、強、標準等から選択可能に設定されており、選択された運転モードに応じた風量になるようになっている。
【０１２２】
また、ＰＴＣヒータ５８についても、各運転モード毎に作動と非作動の選択及び温度選択が可能に設定されている。
【０１２３】
図１３に示す浴室換気空調機操作部１１で暖房モードボタン７２が押されると、制御部７０は暖房モードが選択されたと判断して、循環ファンモータ５３ａとＰＴＣヒータ５８を駆動する。
【０１２４】
循環ファンモータ５３ａが駆動されると、図１１に示す羽根車５５が回転することで、フロントパネル６９の吸込口６を通して、循環ファン部５３の吸込口５７ａから室内の空気が吸い込まれ、循環ファンケース５６によって吹出口５７ｂへと空気が流れる。
【０１２５】
ＰＴＣヒータ５８が駆動され通電されると、風路５６ａを通る空気が加温され、フロントパネル６９の吹出口７から温風が吹き出される。これにより、暖房モードでは冬場等に浴室１０２を暖めることができる。
【０１２６】
なお、暖房モードでは、換気ファンモータ５９ａは駆動されず、換気は行われないので、暖房モードで暖められた浴室１０２内の空気が排出されることはない。
【０１２７】
図１３に示す浴室換気空調機操作部１１で涼風モードボタン７３が押されると、制御部７０は涼風モードが選択されたと判断して、循環ファンモータ５３ａを駆動する。
【０１２８】
循環ファンモータ５３ａが駆動されると、図１１に示す羽根車５５が回転することで、フロントパネル６９の吸込口６を通して、循環ファン部５３の吸込口５７ａから室内の空気が吸い込まれ、循環ファンケース５６によって吹出口５７ｂへと空気が流れる。
【０１２９】
涼風モードでは、ＰＴＣヒータ５８に通電を行わないことで、風路５６ａを通る空気は加温されず、室内の温度に応じた送風がフロントパネル６９の吹出口７から温風が吹き出される。これにより、涼風モードでは夏場等に浴室換気空調機３Ａを扇風機として使用できる。なお、涼風モードでも、換気ファンモータ５９ａは駆動されず、換気は行われない。
【０１３０】
図１３に示す浴室換気空調機操作部１１で換気モードボタン７４が押されると、制御部７０は換気モードが選択されたと判断して、換気ファンモータ５９ａを駆動する。
【０１３１】
換気ファンモータ５９ａが駆動されると、図１１に示す羽根車６０が回転することで、フロントパネル６９の吸込口６から第２の換気風路６６ｂ及び換気ファン部５９の吸込口６２ａを通り、図１に示す浴室１０２内の空気が吸い込まれる。
【０１３２】
また、図１１に示す羽根車６０が回転することで、図１に示す吸気グリル８ａから、吸気ダクト８、図１１に示す第１の換気風路６６ａ及び換気ファン部５９の吸込口６２ａを通り、図１に示す洗面所１０１内の空気が吸い込まれる。
【０１３３】
換気ファン部５９の吸込口６２ａから吸い込まれた空気は、換気ファンケース６１によって吹出口６２ｂへと流れ、図１に示す排気ダクト９を通り排気グリル９ａから屋外へ排出される。
【０１３４】
これにより、換気モードでは、浴室１０２及び吸気グリル８ａが設置された洗面所１０１内の空気を屋外に排出することができる。なお、浴室１０２と洗面所１０１の間では、図１に示す空気取入口１０４ａからも洗面所１０１の空気が浴室１０２に取り込まれ、浴室換気空調機３Ａにより屋外に排出される。
【０１３５】
図１３に示す浴室換気空調機操作部１１で乾燥モードボタン７５が押されると、制御部７０は乾燥モードが選択されたと判断して、循環ファンモータ５３ａ、換気ファンモータ５９ａ及びＰＴＣヒータ５８を駆動する。
【０１３６】
循環ファンモータ５３ａが駆動されると、図１１に示す羽根車５５が回転することで、フロントパネル６９の吸込口６を通して、循環ファン部５３の吸込口５７ａから室内の空気が吸い込まれ、循環ファンケース５６によって吹出口５７ｂへと空気が流れる。
【０１３７】
ＰＴＣヒータ５８が駆動され通電されると、風路５６ａを通る空気が加温され、フロントパネル６９の吹出口７から温風が吹き出される。
【０１３８】
換気ファンモータ５９ａが駆動されると、図１１に示す羽根車６０が回転することで、フロントパネル６９の吸込口６から第２の換気風路６６ｂ及び換気ファン部５９の吸込口６２ａを通り、図１に示す浴室１０２内の空気が吸い込まれる。
【０１３９】
また、図１１に示す羽根車６０が回転することで、図１に示す吸気グリル８ａから、吸気ダクト８、図１１に示す第１の換気風路６６ａ及び換気ファン部５９の吸込口６２ａを通り、図１に示す洗面所１０１内の空気が吸い込まれる。
【０１４０】
換気ファン部５９の吸込口６２ａから吸い込まれた空気は、換気ファンケース６１によって吹出口６２ｂへと流れ、図１に示す排気ダクト９を通り排気グリル９ａから屋外へ排出される。
【０１４１】
これにより、乾燥モードでは、浴室１０２に温風を吹き出すと共に、浴室１０２及び吸気グリル８ａが設置された洗面所１０１内の空気を屋外に排出することで、浴室１０２内の干した衣類の洗濯物等を乾燥させることができる。
【０１４２】
ここで、浴室換気空調機３Ａは、２４時間換気システムを構成することも可能である。すなわち、浴室換気空調機３Ａは、浴室１０２及び吸気グリル８ａが設置された洗面所１０１内の空気を屋外に排出することで、洗面所１０１の図示しないドアのアンダーカット部等から、各部屋の空気が吸気される。
【０１４３】
これにより、所定の部屋に備えた空気の取り入れ口から、新鮮な外気が取り込まれる。そして、必要換気風量が得られるように換気ファン部５９の風量を設定することで、所定換気回数を満たすことができる。一例として、所定換気回数を満たす換気ファン部５９の風量を標準と設定する。
【０１４４】
なお、浴室換気空調機３Ａにカーボンランプやハロゲンヒータ等の輻射ヒータを備えている場合は、上述した暖房モードを入浴前に浴室１０２を暖める予備暖房モードとし、輻射ヒータを利用した暖房を入浴中暖房モードとすることもできる。入浴中暖房モードでは、循環ファン部５３のファン風量を例えば弱にすることで、入浴者に風が当たった場合に寒さを感じることを抑える。
【０１４５】
＜第１の実施の形態の空調システムの動作例＞
上述したように、図８に示す洗面所空調機操作部１０で除湿モードボタン４０あるいは乾燥モードボタン４１が押されると、洗面所空調機操作部１０から浴室換気空調機操作部１１に所定の換気モードを実行させる制御信号が送信される。
【０１４６】
これにより、図１に示す空調システム１Ａでは、洗面所空調機２と浴室換気空調機３Ａの運転を連動させることができる。
【０１４７】
次に、この空調システム１Ａの動作について説明する。図１７は洗面所空調機２及び浴室換気空調機３Ａの連動時の運転モードと各部の動作の組み合わせのパターンを示す。なお、洗面所空調機２及び浴室換気空調機３Ａの連動時の運転モードとして図１７に記載のものは一例である。
【０１４８】
図１７では、図１４で説明した洗面所空調機２の運転モードと、図１６で説明した浴室換気空調機３Ａの運転モードの中で、洗面所空調機２と浴室換気空調機３Ａの連動時のファン風量等の関係を対応付けて表している。
【０１４９】
なお、図１７では、浴室換気空調機３Ａ単体での２４時間換気時のファン風量を比較として表している。
【０１５０】
図８に示す洗面所空調機操作部１０で除湿モードボタン４０が押されると、制御部３５は除湿モードが選択されたと判断して、上述した涼風モードの制御を行うと共に、洗面所空調機操作部１０から浴室換気空調機操作部１１に、所定の換気モードを実行させる制御信号を送信する。
【０１５１】
すなわち、洗面所空調機２では、ファンモータ１４ａとルーバモータ２０ｄと必要に応じてイオン発生器１３を駆動する。ファンモータ１４ａが駆動されると、図５等に示す羽根車１７が回転することで、フロントパネル２２の吸込口４を通して、ファン部１４の吸込口１８ａから室内の空気が吸い込まれ、ファンケース１８によってルーバー１６へと空気が流れる。
【０１５２】
ルーバモータ２０ｄが駆動されると、図６に示す吹出口２０ｂが上下方向に往復回転動作する。また、イオン発生器１３が駆動されると、例えば略同数の正イオンと負イオンの双方がファンケース８内に放出される。これにより、ファン部１４による空気の流れによって、ルーバー１６から正イオンと負イオンの双方を含む送風が洗面所１０１全体に吹き出される。
【０１５３】
なお、除湿モードでは、第１のＰＴＣヒータ１５ａ及び第２のＰＴＣヒータ１５ｂに通電を行わないことで、ファン部１４から吹き出した空気は加温されず、室内の温度に応じた送風がルーバー１６から吹き出される。
【０１５４】
浴室換気空調機３Ａでは、洗面所空調機操作部１０からの制御信号により、制御部７０は換気ファンモータ５９ａを風量が強となるように駆動する。ここで、浴室換気空調機３Ａが２４時間換気を行っている場合は、風量を切り換えるような制御が行われることになる。また、浴室換気空調機３Ａが停止している場合は、換気運転を実行するような制御が行われることになる。この場合も、風量は通常の換気運転時より大きくなるようにする。
【０１５５】
換気ファンモータ５９ａが駆動されると、図１１に示す羽根車６０が回転することで、フロントパネル６９の吸込口６から第２の換気風路６６ｂ及び換気ファン部５９の吸込口６２ａを通り、図１に示す浴室１０２内の空気が吸い込まれる。
【０１５６】
また、図１１に示す羽根車６０が回転することで、図１に示す吸気グリル８ａから、吸気ダクト８、図１１に示す第１の換気風路６６ａ及び換気ファン部５９の吸込口６２ａを通り、図１に示す洗面所１０１内の空気が吸い込まれる。
【０１５７】
換気ファン部５９の吸込口６２ａから吸い込まれた空気は、換気ファンケース６１によって吹出口６２ｂへと流れ、図１に示す排気ダクト９を通り排気グリル９ａから屋外へ排出される。
【０１５８】
これにより、除湿モードでは、洗面所空調機２で洗面所１０１内に送風を行いながら、浴室換気空調機３Ａで洗面所１０１内の空気を屋外に排出することができる。よって、洗面所１０１内の湿気を排出することで、洗面所１０１の除湿を行うことができる。また、浴室換気空調機３Ａの換気風量を大きくすることで、短時間で湿気を排出することができる。
【０１５９】
なお、除湿モードで正イオン及び負イオンの双方を含む空気を洗面所１０１内に送風することで、空気中の浮遊細菌を不活化して、カビの発生を抑えることができる。また、除湿モードでは送風を吹き出すことで、室内の湿度が下がり、カビの防止により効果的である。
【０１６０】
更に、除湿モードで負イオンを含む空気を洗面所１０１内に送風することで、洗面所１０１の湿度が下がり快適性が向上すると共に、リラックス効果を得ることができる。
【０１６１】
図８に示す洗面所空調機操作部１０で乾燥モードボタン４０が押されると、制御部３５は乾燥モードが選択されたと判断して、上述した暖房モードの制御を行うと共に、洗面所空調機操作部１０から浴室換気空調機操作部１１に、所定の換気モードを実行させる制御信号を送信する。
【０１６２】
すなわち、洗面所空調機２では、ファンモータ１４ａと第１のＰＴＣヒータ１５ａ及び第２のＰＴＣヒータ１５ｂと、必要に応じてイオン発生器１３を駆動する。
【０１６３】
ファンモータ１４ａが駆動されると、図５に示す羽根車１７が回転することで、フロントパネル２２の吸込口４を通して、ファン部１４の吸込口１８ａから室内の空気が吸い込まれ、ファンケース１８によってルーバー１６へと空気が流れる。
【０１６４】
第１のＰＴＣヒータ１５ａ及び第２のＰＴＣヒータ１５ｂが駆動され通電されると、ファン部１４から吹き出した空気が加温される。また、イオン発生器１３が駆動されると、例えば略同数の正イオンと負イオンの双方がファンケース８内に放出される。これにより、ファン部１４による空気の流れによって、ルーバー１６から正イオンと負イオンの双方を含む温風が洗面所１０１に吹き出される。
【０１６５】
浴室換気空調機３Ａでは、洗面所空調機操作部１０からの制御信号により、制御部７０は換気ファンモータ５９ａを風量が強となるように駆動する。
【０１６６】
換気ファンモータ５９ａが駆動されると、図１１に示す羽根車６０が回転することで、フロントパネル６９の吸込口６から第２の換気風路６６ｂ及び換気ファン部５９の吸込口６２ａを通り、図１に示す浴室１０２内の空気が吸い込まれる。
【０１６７】
また、図１１に示す羽根車６０が回転することで、図１に示す吸気グリル８ａから、吸気ダクト８、図１１に示す第１の換気風路６６ａ及び換気ファン部５９の吸込口６２ａを通り、図１に示す洗面所１０１内の空気が吸い込まれる。
【０１６８】
換気ファン部５９の吸込口６２ａから吸い込まれた空気は、換気ファンケース６１によって吹出口６２ｂへと流れ、図１に示す排気ダクト９を通り排気グリル９ａから屋外へ排出される。
【０１６９】
これにより、乾燥モードでは、洗面所空調機２で洗面所１０１内に温風を吹き出しながら、浴室換気空調機３Ａで洗面所１０１内の空気を屋外に排出することができる。よって、洗面所１０１内の湿気を排出することで、洗面所１０１の除湿を行い、洗面所１０１内で衣類等を乾燥させることができる。また、浴室換気空調機３Ａの換気風量を大きくすることで、短時間で湿気を排出することができる。
【０１７０】
なお、乾燥モードで正イオン及び負イオンの双方を含む空気を洗面所１０１内に送風することで、空気中の浮遊細菌を不活化して除菌を行うことができる。
【０１７１】
＜第２の実施の形態の空調システムの構成例＞
図１８は第２の実施の形態の空調システムの一例を示す構成図である。以下の説明で、第１の実施の形態の空調システム１Ａと同じ構成については同じ番号を付して説明する。
【０１７２】
第２の実施の形態の空調システム１Ｂは、洗面所１０１と浴室１０２の間で浴室ドア１０４の空気取入口１０４ａを通る空気の流れを利用することで、他室からの吸気ダクトを接続していない浴室換気空調機３Ｂと洗面所空調機２を連動させ、洗面所空調機２の運転に合わせて洗面所１０１内の湿気を排出できるようにしたものである。
【０１７３】
＜第２の実施の形態の浴室換気空調機の構成例＞
図１９は第２の実施の形態の浴室換気空調機３Ｂの一例を示す内部構成図、図２０は第２の実施の形態の浴室換気空調機３Ｂの一例を示す分解斜視図であり、次に、図１８に示す空調システム１Ｂを構成する浴室換気空調機３Ｂの構成の詳細を説明する。
【０１７４】
第２の実施の形態の浴室換気空調機３Ｂは、ファンユニット８２とヒータ部８３を備える。浴室換気空調機３Ｂは、本体ケース８４にファンユニット８２が取り付けられる。ファンユニット８２は送風手段を構成し、回転駆動される多翼の羽根車（ファン｝８５と、羽根車８５を回転駆動するファンモータ８６と、ファンモータ８６が取り付けられると共に、風路を形成するファンケース８７を備える。
【０１７５】
ファンユニット８２は、羽根車８５が縦向きに配置され、ファンケース８７は、羽根車８５の軸方向に沿った下面が開口して吸込口８８が形成される。また、ファンケース８７は羽根車８５の接線方向に沿った一の側面が開口して、風路切換部８９を備える。
【０１７６】
風路切換部８９は風路を切り換えるダンパ９０を備える。ダンパ９０は後述するダンパモータの駆動力がカム９０ａを介して伝達され、軸９０ｂを支点に回転して開閉動作を行う。ファンケース８７は、風路切換部８９と連通して下面に吹出口９１を備えると共に、風路切換部８９と連通して一の側面に排気口９２を備え、ダンパ９０の位置によって、吸込口８８から吹出口９１へ連通した風路か、排気口９２へ連通した風路が形成される。
【０１７７】
図１９では、ダンパ９０を全閉した状態を示す。ダンパ９０を全閉にすると、排気口９２への風路が遮断され、吸込口８８から吹出口９１へ連通した循環風路９３ａが形成される。このため、ダンパ９０が全閉となる位置をダンパ９０の循環位置と称す。
【０１７８】
後述するが、ダンパ９０を全開にすると、吹出口９１への風路が遮断され、吸込口８８から排気口９２へ連通した換気風路９３ｂが形成される。このため、ダンパ９０が全開となる位置をダンパ９０の換気位置と称す。また、ダンパ９０を循環位置と換気位置の中間位置にすると、吸気口８８から吹出口９１へ連通した循環風路９３ａと、吸気口８８から排気口９２へ連通した換気風路９３ｂの双方が形成される。この中間位置を循環換気位置と称す。
【０１７９】
ヒータ部８３は加熱手段を構成し、上述した吹出口９１に備えられる。図１９に示すように、ダンパ９０の位置を全閉にし、ファンモータ８６により羽根車８５を回転駆動すると、空気が吸込口８８から吸い込まれ、循環風路９３ａを通り吹出口９１から吹き出す。ヒータ部８３に通電すると、ヒータ部８３が加熱することで吹出口９１を通る空気が温められ、温風が吹出口９１から吹き出す。ここで、ヒータ部８３としては例えばＰＴＣヒータを備える。
【０１８０】
本体ケース８４は、図２０に示すように、下面が開口しファンユニット８２の吸込口８８と吹出口９１が露出する。そして、本体ケース８４は、下面開口部にフロントパネル９４を備える。フロントパネル９４は本体ケース８４に着脱できるように取り付けられ、ファンユニット８２の吸込口８８と対向して吸込口６を備えると共に、ファンユニット８２の吹出口９１と対向して吹出口７を備える。また、フロントパネル９４は、吸込口９５の裏側にフィルタ９７が交換可能に取り付けられる。
【０１８１】
更に、本体ケース８４は、ファンユニット８２の排気口９２と連通する排気ダクト接続部９８を一の側面に備える。浴室換気空調機３Ｂは、排気ダクト接続部９８に図１９に示す排気ダクト９が接続される。
【０１８２】
＜第２の実施の形態の浴室換気空調機の制御機能例＞
図２１は第２の実施の形態の浴室換気空調機３Ｂの制御系の一例を示す機能ブロック図であり、次に、第２の実施の形態の浴室換気空調機３Ｂの制御系の構成について説明する。
【０１８３】
浴室換気空調機３Ｂは、ＣＰＵ等で構成される制御部９９を備え、制御部９９に、図１８で説明した浴室換気空調機操作部１１と、図１９等で説明したファンモータ８６と、ヒータ部（ＰＴＣヒータ）３と、ダンパ９０を駆動するダンパモータ１００等が接続される。
【０１８４】
制御部９９は制御手段を構成し、浴室換気空調機３Ｂの運転モードとして、涼風（送風）を吹き出しながら換気を行う涼風モードと、温風を吹き出す暖房モードと、換気モードと、温風を吹き出しながら換気を行う乾燥モードを備える。
【０１８５】
浴室換気空調機操作部１１は、図１３で説明したものと同じで良い。浴室換気空調機３Ｂで実行される運転モードは、利用者が浴室換気空調機操作部１１を操作することで選択され、制御部９９は、浴室換気空調機操作部１１での操作に応じてファンモータ８６、ヒータ部３及びダンパモータ１００等を制御する。
【０１８６】
また、浴室換気空調機操作部１１は、図１８に示す洗面所空調機２の洗面所空調機操作部１０と接続され、洗面所空調機操作部１０での操作に応じた制御信号を受信する。
【０１８７】
＜第２の実施の形態の浴室換気空調機の動作例＞
次に、浴室換気空調機３Ｂの単体での動作について説明する。図２２は浴室換気空調機３Ｂの運転モードと各部の動作の組み合わせのパターンを示す。なお、浴室換気空調機３Ｂの運転モードとして図２２に記載のものは一例である。
【０１８８】
この表に記載のファン風量については、各運転モード毎にファンモータ８６の回転数が、強、標準等から選択可能に設定されており、選択された運転モードに応じた風量になるようになっている。
【０１８９】
また、ダンパ９０の位置が、各動作モード毎に設定されている。更に、ヒータ部３についても、各運転モード毎に作動と非作動の選択及び温度選択が可能に設定されている。
【０１９０】
図１３に示す浴室換気空調機操作部１１で暖房モードボタン７２が押されると、制御部９９は暖房モードが選択されたと判断して、ファンモータ８６とヒータ部８３とダンパモータ１００を駆動する。
【０１９１】
暖房モードでは、ダンパ９０の位置が図１９に示す循環位置となるように、ダンパモータ１００が制御される。
【０１９２】
また、ファンモータ８６により羽根車８５が回転駆動されると、フロントパネル９４の吸込口６を介してファンユニット８２の吸込口８８から浴室１０２の空気が吸い込まれる。
【０１９３】
ダンパ９０の位置が循環位置であると、ファンユニット８２において吸込口８８から吹出口９１への循環風路９３ａが形成されるので、吸込口８８から吸い込まれた空気は、循環風路９３ａを通り吹出口９１からフロントパネル９４の吹出口７を介して浴室１０２内に吹き出される。
【０１９４】
そして、ヒータ部８３は循環風路９３ａの吹出口９１に配置されるので、ヒータ部８３がオンされてヒータ部８３が加熱されると、循環風路９３ａを通る空気が温められて吹出口７から吹き出す。
【０１９５】
これにより、浴室１０２内の空気を循環させながら浴室１０２内を暖房することができる。
【０１９６】
図１３に示す浴室換気空調機操作部１１で涼風モードボタン７３が押されると、制御部９９は涼風モードが選択されたと判断して、ファンモータ８６とダンパモータ１００を駆動する。涼風モードでは、ダンパ９０の位置が図２４に示す循環換気位置となるように、ダンパモータ１００が制御される。
【０１９７】
また、ファンモータ８６により羽根車８５が回転駆動されると、フロントパネル９４の吸込口６を介してファンユニット８２の吸込口８８から浴室１０２の空気が吸い込まれる。ダンパ９０の位置が循環位置であると、ファンユニット８２において吸込口８８から吹出口９１への循環風路９３ａが形成されるので、吸込口８８から吸い込まれた空気は、循環風路９３ａを通り吹出口９１からフロントパネル９４の吹出口７を介して浴室１０２内に吹き出される。
【０１９８】
これにより、涼風モードを実行することで、浴室１０２内の空気を循環させながら、浴室１０２内の温度に応じた涼風が吹き出され、浴室換気空調機３Ｂを夏場等に扇風機として使用することができる。
【０１９９】
図１３に示す浴室換気空調機操作部１１で換気モードボタン７４が押されると、制御部９９は換気モードが選択されたと判断して、ファンモータ８６とダンパモータ１００を駆動する。
【０２００】
図２３は換気モード時の浴室換気空調機３Ｂの状態を示す構成図である。換気モードでは、ダンパ９０の位置が図２３に示す換気位置となるように、ダンパモータ１００が制御される。
【０２０１】
また、ファンモータ８６により羽根車８５が回転駆動されると、フロントパネル９４の吸込口６を介してファンユニット８２の吸込口８８から浴室１０２の空気が吸い込まれる。ダンパ９０の位置が換気位置であると、ファンユニット８２において吸込口８８から排気口９２への換気風路９３ｂが形成されるので、吸込口８８から吸い込まれた空気は、換気風路９３ｂ及び排気口９２を通り、更に、図１８に示す排気ダクト９を通って排気グリル９ａから屋外へ排気される。
【０２０２】
また、浴室１０２内の空気を屋外に排気することで、浴室ドア１０４に設けた空気取入口１０４ａから、洗面所１０１の空気が吸い込まれる。
【０２０３】
これにより、換気モードを実行することで、浴室１０２内の湯気や湿気を排出して結露等を抑制し、カビの発生を抑えることができる。
【０２０４】
図１３に示す浴室換気空調機操作部１１で乾燥モードボタン７５が押されると、制御部９９は乾燥モードが選択されたと判断して、ファンモータ８６とヒータ部８３とダンパモータ１００を駆動する。
【０２０５】
図２４は乾燥モード時の浴室換気空調機３Ｂの状態を示す構成図である。乾燥モードでは、ダンパ９０の位置が図２４に示す循環換気位置となるように、ダンパモータ１００が制御される。
【０２０６】
また、ファンモータ８６により羽根車８５が回転駆動されると、フロントパネル９４の吸込口６を介してファンユニット８２の吸込口８８から浴室１０２の空気が吸い込まれる。ダンパ９０の位置が循環換気位置であると、ファンユニット８２において吸込口８８から吹出口９１への循環風路９３ａと、吸込口８８から排気口９２への換気風路９３ｂの双方が形成されるので、吸込口８８から吸い込まれた空気は、一部は循環風路９３ａを通り吹出口９１からフロントパネル９４の吹出口７を介して浴室１０２内に吹き出される。そして、ヒータ部８３がオンされてヒータ部８３が加熱されることで、循環風路９３ａを通る空気が温められて吹出口７から温風が吹き出す。
【０２０７】
また、吸込口８８から吸い込まれた空気の一部は、換気風路９３ｂ及び排気口９２を通り、更に、図１８に示す排気ダクト９を通って排気グリル９ａから屋外へ排気される。
【０２０８】
また、浴室１０２内の空気を屋外に排気することで、浴室ドア１０４の空気取入口１０４ａから、洗面所１０１の空気が吸い込まれる。
【０２０９】
これにより、乾燥モードを実行することで、浴室１０２内に温風を吹き出して、衣類等を乾燥させることができる。また、浴室１０２内の空気の一部は屋外に排気され、空気取入口１０４ａから洗面所１０１の空気を取り込むことで、浴室１０２内の換気が行われるので、湿気等を排出して、衣類の乾燥を促進することができる。
【０２１０】
なお、浴室換気空調機３Ｂにカーボンランプやハロゲンヒータ等の輻射ヒータを備えている場合は、上述した暖房モードを入浴前に浴室１０２を暖める予備暖房モードとし、輻射ヒータを利用した暖房を入浴中暖房モードとすることもできる。入浴中暖房モードでは、ファン風量を例えば弱にすることで、入浴者に風が当たった場合に寒さを感じることを抑える。
【０２１１】
＜第２の実施の形態の空調システムの動作例＞
第１の実施の形態の空調システム１Ａと同様に、図８に示す洗面所空調機操作部１０で除湿モードボタン４０あるいは乾燥モードボタン４１が押されると、洗面所空調機操作部１０から浴室換気空調機操作部１１に所定の換気モードを実行させる制御信号が送信される。
【０２１２】
これにより、図１８に示す空調システム１Ｂでは、洗面所空調機２と浴室換気空調機３Ｂの運転を連動させることができる。
【０２１３】
次に、この空調システム１Ｂの動作について説明する。ここで、洗面所空調機２及び浴室換気空調機３Ｂの連動時の運転モードと各部の動作の組み合わせのパターンは、図１７で説明したパターンと同じである。
【０２１４】
図８に示す洗面所空調機操作部１０で除湿モードボタン４０が押されると、図７に示す洗面所空調機２の制御部３５は除湿モードが選択されたと判断して、上述した涼風モードの制御を行うと共に、洗面所空調機操作部１０から浴室換気空調機操作部１１に、所定の換気モードを実行させる制御信号を送信する。
【０２１５】
洗面所空調機２側の動作は上述した通りで、ルーバー１６から例えば正イオンと負イオンの双方を含む送風が洗面所１０１全体に吹き出される。
【０２１６】
浴室換気空調機３Ｂでは、洗面所空調機操作部１０からの制御信号により、制御部９９はファンモータ８６を風量が強となるように駆動して、換気モードを実行する。
【０２１７】
すなわち、ファンモータ８６により羽根車８５が回転駆動されると、フロントパネル９４の吸込口６を介してファンユニット８２の吸込口８８から浴室１０２の空気が吸い込まれる。ダンパ９０の位置が換気位置であるので、ファンユニット８２において吸込口８８から排気口９２への換気風路９３ｂが形成され、吸込口８８から吸い込まれた空気は、換気風路９３ｂ及び排気口９２を通り、更に、図１８に示す排気ダクト９を通って排気グリル９ａから屋外へ排気される。
【０２１８】
また、浴室１０２内の空気を屋外に排気することで、浴室ドア１０４に設けた空気取入口１０４ａから、洗面所１０１の空気が浴室１０２に吸い込まれ、浴室換気空調機３Ｂにより屋外へ排出される。
【０２１９】
これにより、除湿モードでは、洗面所空調機２で洗面所１０１内に送風を行いながら、浴室換気空調機３Ｂで洗面所１０１内の空気を屋外に排出することができる。よって、洗面所１０１内の湿気を排出することで、洗面所１０１の除湿を行って、湿度を下げることができる。また、浴室換気空調機３Ｂの換気風量を大きくすることで、短時間で湿気を排出することができる。
【０２２０】
図８に示す洗面所空調機操作部１０で乾燥モードボタン４０が押されると、制御部３５は乾燥モードが選択されたと判断して、上述した暖房モードの制御を行うと共に、洗面所空調機操作部１０から浴室換気空調機操作部１１に、所定の換気モードを実行させる制御信号を送信する。
【０２２１】
洗面所空調機２側の動作は上述した通りで、ルーバー１６から例えば正イオンと負イオンの双方を含む温風が洗面所１０１に吹き出される。
【０２２２】
浴室換気空調機３Ｂでは、洗面所空調機操作部１０からの制御信号により、制御部９９はファンモータ８６を風量が強となるように駆動して、換気モードを実行する。
【０２２３】
ファンモータ８６により羽根車８５が回転駆動されると、フロントパネル９４の吸込口６を介してファンユニット８２の吸込口８８から浴室１０２の空気が吸い込まれる。ダンパ９０の位置が換気位置であるので、ファンユニット８２において吸込口８８から排気口９２への換気風路９３ｂが形成され、吸込口８８から吸い込まれた空気は、換気風路９３ｂ及び排気口９２を通り、更に、図１８に示す排気ダクト９を通って排気グリル９ａから屋外へ排気される。
【０２２４】
また、浴室１０２内の空気を屋外に排気することで、浴室ドア１０４に設けた空気取入口１０４ａから、洗面所１０１の空気が吸い込まれる。
【０２２５】
これにより、乾燥モードでは、洗面所空調機２で洗面所１０１内に温風を吹き出しながら、浴室換気空調機３Ｂで洗面所１０１内の空気を屋外に排出することができる。よって、洗面所１０１内の湿気を排出することで、洗面所１０１の除湿を行い、洗面所１０１内で衣類等を乾燥させることができる。また、浴室換気空調機３Ａの換気風量を大きくすることで、短時間で湿気を排出することができる。
【０２２６】
なお、以上の各実施の形態において、浴室換気空調機とは、換気のみを行う空調機であっても良い。また、洗面所５２とは、脱衣所と同様であり、これを含むものである。
【産業上の利用可能性】
【０２２７】
本発明は、洗面所に洗面所空調機を設置し、浴室に浴室換気空調機を設置した住宅等に適用される。
【図面の簡単な説明】
【０２２８】
【図１】第１の実施の形態の空調システムの一例を示す構成図である。
【図２】本実施の形態の洗面所空調機の内部構成の一例を示す正面図である。
【図３】本実施の形態の洗面所空調機の構成の一例を示す分解斜視図である。
【図４】本実施の形態の洗面所空調機の構成の一例を示す外観斜視図である。
【図５】図２のＡ−Ａ線断面図である。
【図６】図２のＢ−Ｂ線断面図である。
【図７】本実施の形態の洗面所空調機の制御系の一例を示す機能ブロック図である。
【図８】洗面所空調機操作部の一例を示す構成図である。
【図９】第１の実施の形態の浴室換気空調機の一例を示す分解斜視図である。
【図１０】第１の実施の形態の浴室換気空調機の一例を示す平面図である。
【図１１】第１の実施の形態の浴室換気空調機の一例を示す内部構成図である。
【図１２】第１の実施の形態の浴室換気空調機の制御系の一例を示す機能ブロック図である。
【図１３】浴室換気空調機操作部の一例を示す構成図である。
【図１４】洗面所空調機の運転モードと各部の動作の組み合わせパターンの一例を示すテーブルである。
【図１５】イオン発生モード時の空気の流れを示す説明図である。
【図１６】第１の実施の形態の浴室換気空調機の運転モードと各部の動作の組み合わせパターンの一例を示すテーブルである。
【図１７】洗面所空調機及び浴室換気空調機の連動時の運転モードと各部の動作の組み合わせパターンの一例を示すテーブルである。
【図１８】第２の実施の形態の空調システムの一例を示す構成図である。
【図１９】第２の実施の形態の浴室換気空調機の一例を示す内部構成図である。
【図２０】第２の実施の形態の浴室換気空調機の一例を示す分解斜視図である。
【図２１】第２の実施の形態の浴室換気空調機の制御系の一例を示す機能ブロック図である。
【図２２】第２の実施の形態の浴室換気空調機の運転モードと各部の動作の組み合わせパターンの一例を示すテーブルである。
【図２３】換気モード時の浴室換気空調機の状態を示す構成図である。
【図２４】乾燥モード時の浴室換気空調機の状態を示す構成図である。
【符号の説明】
【０２２９】
１・・・空調システム、２・・・洗面所空調機、３・・・浴室換気空調機、４・・・吸込口、５・・・吹出口、６・・・吸込口、７・・・吹出口、８・・・吸気ダクト、８ａ・・・吸気グリル、９・・・排気ダクト、９ａ・・・排気グリル、１０・・・洗面所空調機操作部、１１・・・浴室換気空調機操作部、３５・・・制御部、７０・・・制御部、１０１・・・洗面所、１０２・・・浴室、１０４・・・浴室ドア、１０４ａ・・・空気取入口
【図１】
2006226637.tif 000003
【図２】
2006226637.tif 000004
【図３】
2006226637.tif 000005
【図４】
2006226637.tif 000006
【図５】
2006226637.tif 000007
【図６】
2006226637.tif 000008
【図７】
2006226637.tif 000009
【図８】
2006226637.tif 000010
【図９】
2006226637.tif 000011
【図１０】
2006226637.tif 000012
【図１１】
2006226637.tif 000013
【図１２】
2006226637.tif 000014
【図１３】
2006226637.tif 000015
【図１４】
2006226637.tif 000016
【図１５】
2006226637.tif 000017
【図１６】
2006226637.tif 000018
【図１７】
2006226637.tif 000019
【図１８】
2006226637.tif 000020
【図１９】
2006226637.tif 000021
【図２０】
2006226637.tif 000022
【図２１】
2006226637.tif 000023
【図２２】
2006226637.tif 000024
【図２３】
2006226637.tif 000025
【図２４】
2006226637.tif 000026